(57)【要約】【課題】自動分析装置は、バーコード読取り装置が試薬容器に付されたバーコードを読み取ることができなかった場合、その要因として試薬容器が試薬庫に設置されていなかったのか、試薬容器は設置されているがバーコードの汚損などによりバーコードの読み取りに失敗したのかを判別できない。【解決手段】分析装置の試薬庫において、試薬設置位置に試薬容器を設置していない状態においては、試薬容器の未保管設置記録情報を有するバーコードを自動配置する。バーコード読み取り装置にて試薬容器に付されたバーコードを読み取る際において、試薬容器の未保管設置記録情報を有するバーコードが読み込まれた際に、試薬庫の当該位置に試薬容器が設置されていないことを認知する。【選択図】図４ａ
2009222404.tif 000002
【特許請求の範囲】
【請求項１】
複数の試薬容器を保管設置できる容器保管部が備わる試薬庫と、
前記試薬容器に設けた試薬記録情報と、
前記試薬庫に設けた前記試薬記録情報を読む情報読み取り手段が備わる自動分析装置であって、
前記試薬容器が未保管設置の状態では前置情報読み取り手段に未保管設置記録情報を提供する未保管設置記録情報部を前記容器保管部に設けたことを特徴とする自動分析装置。
【請求項２】
請求項１記載の自動分析装置であって、
前記試薬記録情報、前記未保管設置記録情報はバーコードで示され、前記情報読み取り手段はバーコードリーダであることを特徴とする自動分析装置。
【請求項３】
請求項１記載の自動分析装置であって、
前記試薬庫は、容器保管部を上から覆う試薬庫蓋部を有し、
前記情報読み取り手段は前記試薬庫蓋部に設けたことを特徴とする自動分析装置。
【請求項４】
請求項１記載の自動分析装置であって、
前記未保管設置記録情報部は、前記試薬容器を保管設置すると隠れるように回動し、試薬容器を取り除くと元の状態に戻るように回動自在に支持されていることを特徴とする自動分析装置。
【請求項５】
請求項１記載の自動分析装置であって、
前記未保管設置記録情報部は、前記試薬容器を保管設置すると試薬容器の下に隠れるように、前記容器保管部の内底に設けたことを特徴とする自動分析装置。
【請求項６】
請求項１記載の自動分析装置であって、
前記試薬庫は、前記容器保管部が放射状に配列された回転可能な円盤を有することを特徴とする自動分析装置。
【請求項７】
請求項１記載の自動分析装置において、
未保管設置記録情報を含めて分析に要する試薬が満たないと判断されるときアラーム処理を実行する手段を備えたことを特徴とする自動分析装置。
【発明の詳細な説明】
【技術分野】
【０００１】
本発明は血液，尿等の生体成分の定性・定量分析を行う自動分析装置に係り、特に複数の試薬容器を用いる自動分析装置に関する。
【背景技術】
【０００２】
自動分析装置には、通常、分析に必要な試薬容器を格納する試薬庫が備えられている。試薬容器には試薬情報の管理を目的としてバーコードを付すのが一般的である。自動分析装置は、バーコード読み取り装置によって試薬庫に設置された試薬容器のバーコードを読み取り、試薬情報を自動管理する。
【０００３】
しかしながら、バーコード読取り装置が試薬容器のバーコードを読み取ることができなかった場合、その原因として試薬容器がその位置に設置されていなかったのか、試薬容器が設置されているがバーコードの汚損などによりバーコードの読み取りに失敗したのかを判別できなかった。
【０００４】
この判別方法として、例えば、以下に示すさまざまな手段が提案されている。
【０００５】
【特許文献１】特開２００５−４３１３７公報
【特許文献２】特開平８−３３４５１５公報
【発明の開示】
【発明が解決しようとする課題】
【０００６】
自動分析装置は、バーコード読取り装置が試薬容器に付されたバーコードを読み取ることができなかった場合、その要因として試薬容器が試薬庫に設置されていなかったのか、試薬容器は設置されているがバーコードの汚損などによりバーコードの読み取りに失敗したのかを判別できない。
【０００７】
試薬庫に試薬容器の設置有無を検知する機器を装備した場合、試薬容器が設置されているがバーコードの読み取りに失敗したことは認知できる。しかし試薬容器設置検知機器が故障した際にバーコードを読み取ることができなかった場合は、前述と同様にその要因を判別できない。試薬容器を設置しているにもかかわらずバーコードの読み取りに失敗したまま測定を継続した場合、自動分析装置は当該試薬を認知していないため患者検体の分析に必要な試薬が不足し測定結果異常となり再度測定を行う必要が生じる。
【０００８】
試薬容器のバーコードの汚損などにより読み取ることができなくなったバーコードを自動分析装置に記憶させる手段としては、オペレータがバーコードを手動入力する方法がある。
【０００９】
バーコードの手動入力により記憶させた場合、試薬庫内に試薬容器を設置した位置を取り違えて入力してしまう誤りを排除することができない。自動分析装置が認知している試薬庫内位置に試薬容器が設置されていないため、前述と同様に測定結果異常となり再度測定を行う必要が生じる。
【課題を解決するための手段】
【００１０】
本発明は、複数の試薬容器を保管設置できる容器保管部が備わる試薬庫と、前記試薬容器に設けた試薬記録情報と、前記試薬庫に設けた前記試薬記録情報を読む情報読み取り手段が備わる自動分析装置であって、前記試薬容器が未保管設置の状態では前置情報読み取り手段に未保管設置記録情報を提供する未保管設置記録情報部を前記容器保管部に設けたことを特徴とする。
【発明の効果】
【００１１】
本発明によれば、試薬記録情報を読む情報読み取り手段で、試薬容器が未保管設置の状態が読まれるようにしたので、試薬容器の有無検知をするための特別な機器を設けるコストアップを避けて試薬容器の設置有無を検知することが可能となる。
【００１２】
また、試薬容器の有無を検知する特別の機器が不要であるため、試薬容器の有無検知機器の故障に起因する分析必須試薬不足による測定結果異常を招かない。
【００１３】
本発明によれば、オペレータが試薬庫へ試薬容器を設置する際における作業誤りの低減を図ることが可能となる。
【発明を実施するための最良の形態】
【００１４】
以下、図面を用いて本発明の実施の形態を説明する。
【００１５】
図１は、自動分析装置全体の概略図である。
【００１６】
試薬庫内に設置した液体容器を保冷庫の開口部位置に移動する機構は図１のような分析装置に用いられている。操作部ユーザインターフェース１から指示により、試料の入った試料容器２を架設した搬送ラック３が分析部に搬送される。
【００１７】
分析部に搬送された試料は操作部ユーザインターフェース１から指示された分析を行うため、試料容器２内の測定用液体を、試料分注機構４を用いて吸引し、反応ディスク５に架設した反応容器６に注入する。
【００１８】
また、試薬庫７内に架設した試薬容器８を、試薬を吸引する位置に移動し、試薬容器８内の試薬を試薬分注機構９により吸引し、反応ディスク５に乗った反応容器６に注入する。反応容器６に注入された試料と試薬は攪拌機構１０により撹袢する。
【００１９】
これによる化学反応の発色を光源ランプ，分光用回折格子，光検知器により構成される光度計１１で測光し分析を行う。分析後は次の試料を分析するため、反応容器６を洗浄機構１２により洗浄する。
【００２０】
分析を行うための試料を吸引後、試料容器２を架設した搬送ラック３は分析部から搬出される。図１は試薬庫７の蓋の一部を破断表示し、収納されている複数の試薬容器８の一部が見えるようにしてある。
【００２１】
また、試薬庫７には放射状に配置される複数の試薬容器８が置かれる。試薬庫７は、図８に示すように、試薬容器８を保管設置する容器保管部１００が設けられた円盤１０１を有する。放射状に配置されている容器保管部１００をもつ円盤１０１は、回転軸１０２に回転自在に支持される。
【００２２】
試薬庫７は、容器保管部１００を上から覆う試薬庫蓋部１０３を有する。この試薬庫蓋部１０３は着脱になっている。試薬庫蓋部１０３の内側天井には、バーコードを含む試薬記録情報を読む情報読み取り手段のバーコードリーダ１０４が設けられる。試薬庫蓋部１０３は、試薬容器８から試薬を吸引するための少なくとも１つの開口部１３（図１に示す）がある。
【００２３】
次に、図３ａ，図３ｂおよび図４ａ，図４ｂを用い、試薬記録情報、未保管設置記録情報に関して説明する。
【００２４】
図３ａ，図３ｂは、試薬庫に試薬容器が設置されている形態を上部および側面から示した図である。
【００２５】
試薬容器８には、成分の異なる２種の試薬が収められている。本説明では、２種の試薬を収めた試薬容器８を用いて説明するが、試薬容器８には１種の試薬のみ収める場合もあり、内容する試薬種を限定するものではない。２１は試薬容器の開口部であり、この開口部２１から試薬を分注する。
【００２６】
試薬容器８の上部には試薬記録情報のバーコード２２が貼付されており、このバーコード２２をバーコード読み取り装置（バーコードリーダ１０４）にて読み取り、試薬容器１４の情報として記憶する。
【００２７】
２３は未保管設置記録情報部を示す。未保管設置記録情報部２３は、板部材２３ａとバーコードで示された未保管設置記録情報２３ｂを有する。未保管設置記録情報部２３の板部材２３ａは、図７に示すように、容器保管部１００の側壁に蝶番１２０で回動自在に支持され、バネ（図示せず）で付勢されて水平に保たれる。
【００２８】
未保管設置記録情報部２３は、図３ａ，図３ｂに示すように、容器保管部１００に試薬容器２０を設置した状態においては容器保管部１００の側部に収納される。このため、バーコードの未保管設置記録情報２３ｂは、バーコード読み取り装置にて読み取られることがない。
【００２９】
しかし、図４ａ，図４ｂに示すように、試薬容器２０が容器保管部１００に未設置のときには、バーコードの未保管設置記録情報２３ｂが試薬庫の容器保管部１００に上向きに展開される。この未保管設置記録情報２３ｂをバーコード読み取り装置は読み、該当位置に試薬容器が設置されていないことを認知する。
【００３０】
図２は、試薬容器のバーコード読み込み開始から試薬容器の認知までの処理フローを示している。
【００３１】
ステップ１４にて試薬容器のバーコードを読み、ステップ１５にてその成功可否を判定する。試薬容器のバーコード読み込みに成功した場合、ステップ１６にて試薬容器バーコードを解析し、それが試薬容器未設置バーコードであるか判定する。
【００３２】
そこで、試薬容器未設置バーコードではなく試薬容器の貼付されたバーコードであればステップ１７のとおり当該位置に試薬容器が設置されていると認知し、試薬容器未設置バーコードであればステップ１８のとおり当該位置に試薬容器が設置されていないと認知する。また、ステップ１５にて試薬容器のバーコード読み込みに失敗した場合は、ステップ１９のとおり当該位置は試薬容器バーコードを手動入力により分析装置に記憶させていると判断する。
【００３３】
次に、図５ａ，図５ｂを用い、他の実施例について説明する。
【００３４】
図５ａ，図５ｂは、試薬庫に試薬容器が設置されていない形態を上部および側面から示した図である。
【００３５】
未保管設置記録情報２３ｂは容器保管部１００の底部に配置する。容器保管部１００に試薬容器が置かれるときは、未保管設置記録情報２３ｂが隠れてしまう。試薬容器の未設置状態においては、未保管設置記録情報２３ｂがバーコード読み取り装置で読まれ、当該位置に試薬容器が設置されていないことが認知される。
【００３６】
この実施例では、容器保管部１００の底部に未保管設置記録情報２３ｂが存在するので、試薬容器から流出した試薬による汚染で、未保管設置記録情報２３ｂが汚損されないように防護するようにすることが望ましい。
【００３７】
次に、図６を用いて、試薬容器未設置により分析に要する試薬が満たないと判断されるときにアラーム処理をする実行例について説明する。
【００３８】
図６は、自動分析装置の操作部に出力される試薬状況概観画面である。
【００３９】
試薬状況概観画面は、分析用試薬情報表示部２６と消耗品情報表示部２７とから構成される。分析用試薬情報表示部２６は分析装置の試薬庫７を上部より俯瞰した状態を示している。消耗品情報表示部２７は、分析装置で使用している消耗品の残量を表示している。いずれの表示部においても、表示色によって試薬および消耗品の状態を判別可能になっている。
【００４０】
測定に必要な試薬が試薬庫に設置されていない場合は、分析に必要な試薬が設置されていない旨の表示２８でアラームメッセージを出力することにより、オペレータに試薬設置を促す。
【００４１】
上記のように、試薬記録情報を読む情報読み取り手段により、試薬容器の有無を検知するので、特別の機器が不要であるため、試薬容器の有無検知機器の故障に起因する分析必須試薬不足による測定結果異常を招かない。また、分析に必要な試薬の有無情報をオペレータに提供できるので、試薬庫へ試薬容器を設置する際における作業誤りの低減が図られる。
【００４２】
上述した実施例では、試薬記録情報、情報読み取り手段はバーコードを挙げたが、ＩＣタグ、または文字や図柄を撮影するＣＣＤ等のカメラを適用することも可能である。
【図面の簡単な説明】
【００４３】
【図１】本発明の実施例に係るもので、自動分析装置の概要を示す斜視図である。
【図２】本発明の実施例に係るもので、試薬容器バーコード読み込み開始から試薬容器の認知までの処理フローである。
【図３ａ】本発明の実施例に係るもので、試薬庫へ試薬容器を設置した形態を示す平面図である。
【図３ｂ】本発明の実施例に係るもので、試薬庫へ試薬容器を設置した形態を示す側面図である。
【図４ａ】本発明の実施例に係るもので、試薬庫へ試薬容器を設置していない形態を示す平面図である。
【図４ｂ】本発明の実施例に係るもので、試薬庫へ試薬容器を設置していない形態を示す側面図である。
【図５ａ】本発明の他の実施例に係るもので、図３ａ、図４ａに相当する平面図である。
【図５ｂ】本発明の他の実施例に係るもので、図３ｂ、図４ｂに相当する側面図である。
【図６】本発明の実施例に係るもので、試薬容器未設置状態におけるアラーム処理の一例である。
【図７】本発明の実施例に係るもので、試薬容器未設置情報バーコード部の動作を表した図である。
【図８】本発明の実施例に係るもので、試薬庫の断面図（図１のＡ−Ａ断面図）である。
【符号の説明】
【００４４】
１…操作部ユーザインターフェース、２…試料容器、３…搬送ラック、４…試料分注機構、５…反応ディスク、６…反応容器、７…試薬庫、８…試薬容器、９…試薬分注機構、１０…攪拌機構、１１…光度計、１２…洗浄機構、１３…試薬庫の開口部、２０…試薬容器、２１…試薬容器の開口部、２２…バーコード、２３…未保管設置記録情報部、２６…分析用試薬情報表示部、２７…消耗品情報表示部。２８…分析に必要な試薬が設置されていない旨の表示、１０４…バーコードリーダ（情報読み取り手段／バーコード読み取り装置）、１０３…試薬庫蓋部。
【図１】
2009222404.tif 000003
【図２】
2009222404.tif 000004
【図３ａ】
2009222404.tif 000005
【図３ｂ】
2009222404.tif 000006
【図４ａ】
2009222404.tif 000007
【図４ｂ】
2009222404.tif 000008
【図５ａ】
2009222404.tif 000009
【図５ｂ】
2009222404.tif 000010
【図６】
2009222404.tif 000011
【図７】
2009222404.tif 000012
【図８】
2009222404.tif 000013